(57)【特許請求の範囲】
【請求項１】
給湯装置の基板収納構造であって、
前記給湯装置の電装基板を収納するための、輪郭形状が略方形の基板収納ケースと、
前記基板収納ケースの開口部の少なくとも一部を覆うための防滴カバーとを備え、
前記基板収納ケースは、前記給湯装置への取付状態において前記給湯装置の前面側に位置する第１の側面に第１の開口部が設けられるとともに、前記取付状態における上側表面に第２の開口部が設けられる形状を有し、
前記防滴カバーは、
前記第１の開口部を覆うように形成されたメインカバーと、
前記メインカバーとの間で９０度よりも大きい角度を成すように、前記メインカバーから前記前面側とは反対方向の後面側に向けて延在するサブカバーとを含み、
前記サブカバーは、前記取付状態における上面側から見て前記第２の開口部の全面を覆うように形成される、給湯装置の基板収納構造。
【請求項２】
前記基板収納ケースは、
前記取付状態において前記前面側から見て左右に位置する第２および第３の側面の各々に第３の開口部が設けられる形状を有する、請求項１記載の給湯装置の基板収納構造。
【請求項３】
前記基板収納ケースは、
前記取付状態における下側表面に第４の開口部が設けられる形状を有する、請求項１または２に記載の給湯装置の基板収納構造。
【請求項４】
前記基板収納ケースの前記上側表面には、前記サブカバーを固定するためのカバー取付部が、前記前面側から見た左右方向に沿って複数個配置され、
前記複数個のカバー取付部のうちの第１のカバー取付部は、第２のカバー取付部よりも前記後面側に配置され、
前記第１のカバー取付部において、前記基板収納ケースの上側表面から前記サブカバーの取付位置までの距離は、前記第２のカバー取付部における前記距離よりも長い、請求項１〜３のいずれか１項に記載の給湯装置の基板収納構造。
【請求項５】
前記メインカバーおよび前記サブカバーは、平板の折り曲げ構造によって形成される、請求項１〜４のいずれか１項に記載の給湯装置の基板収納構造。
【発明の詳細な説明】
【技術分野】
【０００１】
この発明は、給湯装置の基板収納構造に関し、より特定的には、給湯装置内部の電装基板の収納構造に関する。
【背景技術】
【０００２】
給湯装置等の筐体内部で水滴が生じやすい機器では、電子制御のために配置される電装基板に対する防滴性を確保する必要がある。
【０００３】
たとえば、特開２０１１−１４９５７３号公報（特許文献１）では、給湯器、空調設備等に利用される蓄熱システムにおいて、凝縮水分離部材の表面の凝縮水の液滴を移動させる傾斜を設ける構造が記載されている。
【先行技術文献】
【特許文献】
【０００４】
【特許文献１】特開２０１１−１４９５７３号公報
【発明の概要】
【発明が解決しようとする課題】
【０００５】
電装基板の防滴性を確保するために、箱型のケースによる収納構造を採用することができる。
【０００６】
一方で、電装基板では、電子部品の電力消費に伴う発熱によって収納ケース内の温度が上昇することにより、電子部品に故障が生じることが懸念される。このため、放熱性を確保するために収納ケースに開口部を設けることが行われるが、開口部の配置は防滴性の低下につながる。したがって、十分な放熱性および防滴性を両立して確保するためには、どのような収納構造が最適であるかが問題となる。
【０００７】
この発明はこのような問題点を解決するためになされたものであって、本発明の目的は、放熱性および防滴性を両立した給湯装置内部の電装基板の収納構造を提供することである。
【課題を解決するための手段】
【０００８】
この発明のある局面では、給湯装置の基板収納構造は、輪郭形状が略方形の基板収納ケースと、防滴カバーとを備える。基板収納ケースは、給湯装置の電装基板を収納する。防滴カバーは、基板収納ケースの開口部の少なくとも一部を覆うように設けられる。基板収納ケースは、給湯装置への取付状態において給湯装置の前面側に位置する第１の側面に第１の開口部が設けられるとともに、取付状態における上側表面に第２の開口部が設けられる形状を有する。防滴カバーは、第１の開口部を覆うように形成されたメインカバーと、サブカバーとを含む。サブカバーは、メインカバーとの間で９０度よりも大きい角度を成すように、メインカバーから前面側とは反対方向の後面側に向けて延在する。サブカバーは、取付状態における上面側から見て第２の開口部の全面を覆うように形成される。
【０００９】
上記基板収納構造によれば、収納ケースの取付状態における上側表面に第２の開口部を設けることにより、収納ケース内部の熱気の放出経路を効率的に設けることができるので放熱性が向上する。さらに、第２の開口部は、メインカバーとの間で９０度より大きい角度を成すことによって水滴を排出するための傾斜を有するサブカバーによって覆われているので、水滴を第２の開口部に浸入させることなく排出することができる。この結果、放熱性および防滴性を両立した電装基板の収納構造を実現することができる。
【００１０】
好ましくは、基板収納ケースは、取付状態において前面側から見て左右に位置する第２および第３の側面の各々に第３の開口部が設けられる形状を有する。
【００１１】
このようにすると、第２および第３の側面からの水滴の浸入する可能性が低い構成に適用することで、放熱性をさらに高めることができる。
【００１２】
さらに好ましくは、基板収納ケースは、取付状態における下側表面に第４の開口部が設けられる形状を有する。
【００１３】
このようにすると、収納ケースに取付状態における上面表面および下側表面の両方に開口部を設けることができるので、いわゆる煙突効果によって、収納ケース内の熱気を上側の開口部から排出するための気流を形成することができる。この結果、放熱性をさらに向上することができる。
【００１４】
好ましくは、基板収納ケースの上側表面には、サブカバーを固定するためのカバー取付部が、前面側から見た左右方向に沿って複数個配置される。複数個のカバー取付部のうちの第１のカバー取付部は、第２のカバー取付部よりも後面側に配置される。第１のカバー取付部において、基板収納ケースの上側表面からサブカバーの取付位置までの距離は、第２のカバー取付部における当該距離よりも長い。
【００１５】
このようにすると、メインカバーとの間で９０度より大きい角度を成すことによって形成されるサブカバーによる傾斜を、複数個のカバー取付部によって安定的に保持することができる。
【００１６】
また好ましくは、メインカバーおよびサブカバーは、平板の折り曲げ構造によって形成される。
【００１７】
このようにすると、折り曲げ加工が可能な材質の平板を用いて、防滴カバーを容易に製作することができる。
【発明の効果】
【００１８】
この発明によれば、放熱性および防滴性を両立した、給湯装置内部の電装基板の収納構造を提供することができる。
【図面の簡単な説明】
【００１９】
【図１】本発明の実施の形態に従う給湯装置の外観図である。
【図２】図１に示された給湯装置におけるＩＩ−ＩＩ断面の模式的な断面図である。
【図３】比較例に従う基板収納構造を前面側から見た正面図である。
【図４】図３の状態から防滴カバーを取り外した状態における正面図である。
【図５】図４に示された収納ケースの斜視図である。
【図６】図３のＶＩ方向に沿って見た右側面図である。
【図７】図３のＶＩＩ方向に沿って見た平面図である。
【図８】収納ケースに設けられたカバー取付部の正面図である。
【図９】サブカバーの収納ケースへの取付部位の形状を示す外観図である。
【図１０】本実施の形態に従う基板収納構造を前面側から見た正面図である。
【図１１】本実施の形態に従う基板収納構造を図１０のＸＩ方向に沿って見た右側面図である。
【図１２】本実施の形態に従う基板収納構造における収納ケースの上面側からの斜視図である。
【図１３】本実施の形態に従う基板収納構造を図１０中のＸＩＩＩ方向に沿って見た平面図である。
【図１４】本実施の形態の第１の変形例に従う基板収納構造における底面側からの収納ケースの斜視図である。
【図１５】本実施の形態の第２の変形例に従う基板収納構造における収納ケースを前面側から見た正面図である。
【図１６】図１５のＸＶＩ方向に沿って見た平面図である。
【図１７】図１６の防滴カバーを裏面側から見た斜視図である。
【発明を実施するための形態】
【００２０】
以下に、本発明の実施の形態について図面を参照して詳細に説明する。なお以下では、図中の同一または相当部分には同一符号を付して、その説明は原則的に繰返さないものとする。
【００２１】
図１は、本発明の実施の形態に従う給湯装置１０の外観図である。図１には、給湯装置１０の正面図および側面図が示される。
【００２２】
図１を参照して、給湯装置１０の構成部品が格納される筐体１００に対して、フロントカバー２００が取付けられることによって給湯装置１０が構成される。筐体１００は、給湯装置１０の前面側に対応する一面が開口されており、フロントカバー２００は、当該開口部を覆うように取付けられる。
【００２３】
フロントカバー２００の周縁部には係合部２０５が設けられる。係合部２０５が、後述する筐体１００側の係合部に対してボルト２０７等の締結部材によって固定されることにより、フロントカバー２００は、筐体１００に取り付けられる。
【００２４】
フロントカバー２００には、排気口２３０および給気口２２０が設けられる。なお、図１では、フロントカバー２００の前面のみに給気口２２０を設けているが、左右側面２０１に給気口をさらに設けることも可能である。
【００２５】
図２は、図１におけるＩＩ−ＩＩ断面の模式的な断面図である。図２では、説明の便宜上、フロントカバー２００が筐体１００から分離された状態が示される。
【００２６】
図２を参照して、筐体１００の前面全体には、開口部１０２が形成されている。給湯装置１０は、筐体１００内に格納された構成部品の代表例として、燃料閉止弁２０と、バーナ３０と、バーナケース３５と、ファン４０と、燃焼室５０と、炎検知装置５５と、熱交換器６０と、点火装置７０と、排気通路８５と、排気管９０とを有する。
【００２７】
燃料閉止弁２０の開弁時に、給湯装置１０の外部から燃料ガスがバーナ３０に対して供給される。なお、燃料閉止弁２０およびバーナ３０の間には、燃料閉止弁２０の開弁時において供給燃料量を調整するための流量調整弁（図示せず）がさらに配置されている。
【００２８】
バーナ３０はバーナケース３５内に設けられて、供給された燃料ガスを燃焼室５０で燃焼する。点火装置７０は、バーナ３０の燃焼開始時に燃料に点火する。炎検知装置５５は、バーナ３０における着火の有無を検出するために設けられる。ファン４０は、図示しないファンモータによって回転駆動されることによって、燃焼用空気を燃焼室５０に対して供給する。
【００２９】
燃焼室５０で発生された燃焼熱は、熱交換器６０において、給湯装置１０を通過する被加熱媒体（たとえば水道水）の昇温に用いられる。そして、昇温された湯が給湯装置１０から出力される。
【００３０】
熱交換器６０における熱交換後の排気は、排気通路８５および排気管９０を経由して、給湯装置１０の外部に排出される。排気管９０は、フロントカバー２００の排気口２３０に対応した位置に設けられる。
【００３１】
ファン４０が回転すると、筐体１００内が負圧となる。これによりフロントカバー２００に設けられた給気口２２０，２２１から筐体１００の内部に空気が導入される。導入された空気はファン４０に吸入される。ファン４０が吸入した空気をバーナケース３５へ吐出することによって、燃焼室５０へ燃焼用空気が供給される。このように、筐体１００内に格納されたファン４０を作動させることによって、筐体１００内へ外気を導入することができる。
【００３２】
また、給湯装置１０の構成部品（電気部品）の電源供給および電子制御を行うための回路群を搭載した電装基板（図示せず）が配置される。図２中において、電装基板の概略的な占有スペースが点線５００によって模式的に表記されている。すなわち、電装基板は、スペース５００において、本実施の形態に従う基板収納構造によって配置されている。
【００３３】
電装基板は、図示しないプリント基板に、トランジスタ、コイル、コンデンサ、リレー、マイクロコンピュータ等の電子部品（いずれも図示せず）を搭載することによって構成される。一方で、フロントカバー２００には、給気口２２０，２２１および排気口２３０が設けられており、かつ、筐体１００内部では、電装基板が配置されるスペース５００の上部には被加熱媒体の配管等も位置することになる。この結果、電装基板に対しては、防滴性を考慮した収納構造を適用することが必要である。
【００３４】
（比較例に従う基板収納構造）
まず、図３〜図９を用いて、基板収納構造の比較例を説明する。
【００３５】
図３は、比較例に従う基板収納構造を図２中のＩＩＩ方向に沿って見た正面図である。図４は、図３の状態から防滴カバーを取り外した状態における正面図が示される。すなわち、図３および図４には、比較例に従う基板収納構造を、給湯装置１０に対する取付状態において、前面側から見た外観図が示される。
【００３６】
図３および図４を参照して、電装基板６００は、制御基板６１０および電源基板６２０を含む。制御基板６１０には、給湯装置１０を構成する各電気部品をマイクロコンピュータ（図示せず）によって制御するための電子機器が搭載される。電源基板６２０には、給湯装置１０の外部から供給される交流電圧（たとえば、ＡＣ１００Ｖ）を、給湯装置１０内で用いられる電源電圧（たとえば、ＤＣ５ＶないしＤＣ１５Ｖ）に変換して、各電気部品に対して電源電圧を供給するための機器群が搭載される。あるいは、制御基板６１０および電源基板６２０を、単一の電装基板上に搭載することも可能である。
【００３７】
本実施の形態に従う基板収納構造において、収納対象となる電装基板については、防滴からの保護が必要な電気・電子部品が搭載されている限り、その形状や構成は任意である。したがって、本明細書では、電装基板６００（制御基板６１０および電源基板６２０）については、具体的な構成等は記載することなく、その収納位置を上記符号にて表記するものとする。
【００３８】
制御基板６１０および電源基板６２０は、図３中に点線で示す基板収納ケース５１０に収納される。基板収納ケース５１０には、スペース５００（図２）への取付け状態時における前面側に開口部５６１および５６２が設けられる。基板収納ケース５１０は、開口部５６１および５６２から、制御基板６１０および電源基板６２０に搭載された機器を調整ないし交換することが可能なように構成されている。以下では、基板収納ケース５１０を、単に「収納ケース５１０」とも称する。
【００３９】
図５は、図４に示された収納ケース５１０の斜視図である。図５中には、スペース５００（図２）への取付状態時における前面側および後面側、ならびに、上面側および底面側の方向を示す矢印が併せて表記される。各図面において、これらの方向の定義は共通である。
【００４０】
収納ケース５１０は、輪郭形状が略方形に構成されており、取付状態時における前面側の側面には開口部５６１および５６２が設けられる一方で、図示しない後面側の側面には開口部は配置されない。また、収納ケース５１０の取付状態時における上側表面にも、防滴性の観点から、開口部は配置されない。なお、本明細書において、収納ケース５１０の輪郭形状は、少なくとも上側表面、下側表面、ならびに、前面側、後面側および左右側の側面が区別できる限り「略方形」であることを意味している。すなわち、収納ケースが完全に直方体であって各面が単一平面で構成される形状に限定されることなく、収納ケースの上側表面、下側表面、および各側面の少なくともいずれかが、曲面を有する形状で構成されたり、斜め方向に形成された複数の面の集合によって構成されたり、部分的な凹凸を有する形状で構成されてもよい。
【００４１】
同様に、収納ケース５１０の取付状態時における下側表面（底面）にも開口部は設けられない。一般に熱せられた高温空気は上昇するため、下側表面に開口部を設けても、放熱効果は乏しいからである。
【００４２】
制御基板６１０および電源基板６２０は、たとえば、図５に示す状態に載置された収納ケース５１０に対して、取付状態時における後面側の側面（内側）上に載置され、かつ固定される。制御基板６１０および電源基板６２０の固定後、収納ケース５１０は、図２に示された上面側および前面側と合致するように、図５の状態から９０度回転させてスペース５００（図２）に配置される。
【００４３】
さらに、収納ケース５１０の前面側から見て左右に位置する２個の側面に対して、開口部５６３および５６４をさらに設けることも可能である。左右側面に開口部５６３，５６４を設けることにより、電装基板上の電気電子部品からの発熱を放出する経路を形成することができる。
【００４４】
再び図３を参照して、防滴カバー５５０は、開口部５６１および５６２を覆うように取り付けられる。したがって、図３の外観図では、制御基板６１０および電源基板６２０は、防滴カバー５５０によって隠れる状態となっている。すなわち、収納ケース５１０については、上側表面（上面）に設けられたカバー取付部５１１〜５１３のみが、前面側から視認可能な状態となっている。
【００４５】
図６は、比較例に従う基板収納構造を図３中のＶＩ方向に沿って見た右側面図である。すなわち、図６には、防滴カバー５５０が取り付けられた状態における、前面側から見て右方向からの外観図が示される。
【００４６】
図６を参照して、防滴カバー５５０は、開口部５６１，５６２（図４，５）を覆うメインカバー５５６を有する。図６中で、メインカバー５５６は、上下方向に延在する形状で設けられる。
【００４７】
さらに、防滴カバー５５０には、収納ケース５１０への取付部分を形成するサブカバー５５７を有する。サブカバー５５７は、メインカバー５５６に対して略９０度の角度を成すように、後面側へ向けて延在する形状で設けられる。たとえば、平板形状の防滴カバーを折り曲げ加工することによって、メインカバー５５６およびサブカバー５５７を構成することができる。すなわち、メインカバー５５６およびサブカバー５５７は、折り曲げ部５５８を境界とする、連続した二面にそれぞれ相当する。すなわち、サブカバー５５７は、折り曲げ部５５８を起点に延在を開始するように形成される。
【００４８】
図７は、比較例に従う基板収納構造を図３中のＶＩＩ方向に沿って見た平面図である。すなわち、図７には、防滴カバー５５０が取り付けられた状態における、上面側からの外観図が示される。
【００４９】
図７を参照して、収納ケース５１０の上側表面に設けられたカバー取付部５１１〜５１３に対して、防滴カバー５５０のサブカバー５５７が取り付けられる。上述のように、収納ケース５１０の上側表面には開口部が設けられていないので、当該上側表面およびサブカバー５５７によって、上面側からの防滴性が得られる。
【００５０】
図８および図９には、カバー取付部５１１〜５１３およびサブカバー５５７の取付構造が示される。図８には、図７中のＩＩＸ方向に沿って見たカバー取付部５１２の正面図が示され、図９には、サブカバー５５７のうちのカバー取付部５１２への取付部位５５４の形状が示される。
【００５１】
図８を参照して、カバー取付部５１２は、差込用の水平孔５２３が設けられる。水平孔５２３の両側には、残肉部５２１，５２２が確保される。
【００５２】
図９を参照して、取付部位５５４は、切欠き部５５１，５５２および、カバー取付部５１２の水平孔５２３に挿入するための突出部５５３を有する。切欠き部５５１，５５２は、カバー取付部５１２の残肉部５２１，５２２と合致した形状および寸法で設けられる。サブカバー５５７に切欠き部５５１，５５２を設けることにより、残り部位によって突出部５５３を設けることができる。
【００５３】
突出部５５３を水平孔５２３に挿入することにより、残肉部５２１，５２２についても切欠き部５５１，５５２によって固定することができる。これにより、サブカバー５５７の取付部位５５４は、嵌合構造によって、カバー取付部５１２に固定される。
【００５４】
なお、図８および図９には、代表的に、カバー取付部５１２に関する嵌合固定構造を例示したが、カバー取付部５１１，５１３についても同様の構造が設けられている。
【００５５】
図３〜図９に示した比較例に従う基板収納構造では、収納ケース５１０の上側表面は開口部を非配置として防滴性を優先している。しかしながら、電装基板への搭載部品の発熱に対しては、放熱経路が収納ケース５１０の側面側にしか配置されていない。このため、収納ケース５１０内の上部に熱気が滞留し充満することによって、部品が高温状態となることが懸念される。この結果、電装基板上の電気電子部品について、防滴性は確保されるものの、高温状態となり易く耐熱性の高い部品を採用することが必要となる。これにより、コストが上昇することが懸念される。
【００５６】
（実施の形態に従う基板収納構造）
したがって、本実施の形態では、放熱性を高める一方で防滴性についても確保された、電装基板の収納構造について説明する。
【００５７】
図１０は、本実施の形態に従う基板収納構造を前面側から見た正面図である。図１１は、本実施の形態に従う基板収納構造の図１０のＸＩ方向に沿って見た右側面図である。
【００５８】
図１０および図１１を図３および図６と比較すると、実施の形態に従う基板収納構造では、防滴カバー５５０のサブカバー５５７の形状が、比較例と異なっている。さらに、収納ケース５１０には、取付状態時における上側表面に開口部がさらに設けられる。
【００５９】
図１２には、本実施の形態に従う基板収納構造における収納ケースの斜視図が示される。図１２には、図５と同様に、上面側からの斜視図が示される。
【００６０】
図１２および図５を比較して、実施の形態に従う基板収納構造では、収納ケース５１０に対して、比較例と同様の開口部５６１〜５６４に加えて、上側表面に開口部５６５ａ，５６５ｂがさらに設けられる。開口部５６５ａ，５６５ｂを設けることにより熱気を放出することができる。
【００６１】
収納ケース５１０において、開口部５６１，５６２は「第１の開口部」に対応し、開口部５６５ａ，５６５ｂは「第２の開口部」に対応し、開口部５６３，５６４は「第３の開口部」に対応する。
【００６２】
なお、実施の形態に従う基板収納構造において、開口部５６３，５６４は、省略することも可能である。開口部５６３，５６４を設けると放熱性が向上する一方で防滴性は低下するので、図１に示された、フロントカバー２００の側面２０１（図１）における給気口の配置有無やあるいは、電装基板での発熱量に応じて、開口部５６３，５６４の配置および非配置を決定することが好ましい。
【００６３】
また、収納ケース５１０の上側表面には、比較例と同様の位置に、カバー取付部５１１〜５１３が設けられる。
【００６４】
再び図１１を参照して、実施の形態に従う基板収納構造では、開口部５６５ａ，５６５ｂを設けることにより放熱経路８００を形成できるので、収納ケース５１０内部での熱気の充満を回避できる。すなわち、収納ケース５１０の放熱性を高めることができる。
【００６５】
さらに、サブカバー５５７は、メインカバー５５６との間で９０度よりも大きい角度を成すように、後面側へ向けて延在するように設けられる。これにより、サブカバー５５７上の水滴を前面側へ移動させる傾斜を設けることができる。この結果、サブカバー５５７上に落下した水滴の排出経路８１０を形成することができる。
【００６６】
図１３は、本実施の形態に従う基板収納構造を図１０中のＸＩＩＩ方向に沿って見た平面図である。すなわち、図１３は、実施の形態に従う基板収納構造を上面側から見た外観図に相当する。
【００６７】
図１３を参照して、サブカバー５５７の後面側の先端部は、上面側から見てサブカバー５５７が開口部５６５ａ，５６５ｂの全面を覆うように設けられる。この結果、サブカバー５５７の長さＬａは、比較例（図７）での長さＬｂよりも大きくなる（Ｌａ＞Ｌｂ）。  
【００６８】
なお、実施の形態に従う基板収納構造においても、サブカバー５５７は、比較例と同様の嵌合構造によって、カバー取付部５１１〜５１３に取り付けることができる。
【００６９】
ただし、サブカバー５５７の延在方向が変化するため、カバー取付部５１１〜５１３の高さや水平孔５２３（図８）の位置は、比較例とは異なるように調整することが好ましい。
【００７０】
このように、本実施の形態に従う基板収納構造によれば、電装基板の収納ケース５１０に、取付状態での上側表面に開口部５６５ａ，５６５ｂを設けることによって、収納ケース５１０の内部からの熱気の放出経路を効率的に設けることができるので放熱性が向上する。さらに、開口部５６５ａ，５６５ｂは、水滴を排出するための傾斜を有するサブカバー５５７によって覆われているので、水滴を開口部５６５ａ，５６５ｂに浸入させることなく排出できる。この結果、放熱性および防滴性を両立した電装基板の収納構造を実現することができる。
【００７１】
（第１の変形例）
図１４は、本実施の形態の第１の変形例に従う基板収納構造における底面側からの収納ケースの斜視図である。
【００７２】
図１４を参照して、電装基板の収納ケース５１０には、取付状態での下側底面に開口部５６６をさらに設けることも可能である。開口部５６６は、「第４の開口部」に対応する。第１の変形例において、開口部５６６の配置以外は、図１０〜図１３によって説明した、本実施の形態に従う基板収納構造と同様であるので、詳細な説明は繰り返さない。
【００７３】
開口部５６６を設けることにより、収納ケース５１０は、取付状態において、上側表面および下側表面の両方に開口部を有することになる。これにより、いわゆる煙突効果によって、電装基板の発熱による熱気を上側表面の開口部５６５ａ，５６５ｂから排出するための気流を形成することができる。この結果、防滴性を低下させることなく、放熱性をさらに向上させることが可能である。
【００７４】
なお、本実施の形態および変形例１を通じて、収納ケース５１０の面に設けられる開口部５６１〜５６４，５６５ａ，５６５ｂ，５６６の形状は任意であり、分割して配置することも可能である。
【００７５】
（第２の変形例）
次に、図１５〜図１７を用いて、本実施の形態に従う基板収納構造の第２の変形例を説明する。第２の変形例では、サブカバー５５７を固定するためのカバー取付部５１１〜５１３の位置および形状が変更される。それ以外の部分は、図１０〜図１３によって説明した、本実施の形態に従う基板収納構造と同様であるので、詳細な説明は繰り返さない。
【００７６】
図１５は、本実施の形態の第２の変形例に従う基板収納構造における収納ケースを前面側から見た正面図である。図１６は、図１５のＸＶＩ方向に沿って見た平面図である。
【００７７】
図１５および図１６を参照して、カバー取付部５１１〜５１３は、収納ケース５１０の取付状態での上側表面において、前面側から見て左右方向に沿って複数個配置される。
【００７８】
さらに、第２の変形例では、カバー取付部５１１〜５１３のうちの一部が、残りのカバー取付部よりも後面側、すなわち、折り曲げ部５５８から遠くに配置される。たとえば、図１５〜図１７の例では、中央部のカバー取付部５１２が、両端部のカバー取付部５１１，５１３よりも後面側に配置される。
【００７９】
そして、図１５に示さるように、後面側に配置されたカバー取付部５１２では、サブカバー５５７の取付位置に相当する水平孔５２３（図８）が、前面側に配置されたカバー取付部５１１，５１３よりも高い位置に設けられる。すなわち、収納ケース５１０の上側表面から水平孔までの距離は、カバー取付部５１１，５１３ではＨ１であるのに対し、カバー取付部１５２ではＨ２である（Ｈ２＞Ｈ１）。このため、カバー取付部５１２は、カバー取付部５１１，５１３よりも上面側に向けて高く形成されてもよい。
【００８０】
図１７には、図１６に示された防滴カバーを裏面側から見た斜視図である。図１７に示された防滴カバー５５０は、図１５に示されたカバー取付部５１１〜５１３に取り付けられる。
【００８１】
図１７を参照して、切欠き部５９１，５９２および突出部５９３は、中央部のカバー取付部５１２と嵌合することによって固定される。すなわち、突出部５９３は、カバー取付部５１２に設けられた水平孔に挿入される。
【００８２】
これに対して、切欠き部５７１，５７２および突出部５７３は、端部のカバー取付部５１３と嵌合することによって固定される。すなわち、突出部５７３は、カバー取付部５１３に設けられた水平孔に挿入される。同様に、切欠き部５８１，５８２および突出部５８３は、端部のカバー取付部５１１と嵌合することによって固定される。すなわち、突出部５８３は、カバー取付部５１１に設けられた水平孔に挿入される。
【００８３】
図１６中には、折り曲げ部５５８から、切欠き部５７１，５７２および突出部５７３までの長さがＬ１で示される。折り曲げ部５５８から、切欠き部５８１，５８２および突出部５８３までの長さも同様にＬ１である。このとき、折り曲げ部５５８から、切欠き部５９１，５９２および突出部５９３までの長さＬ２をＬ１よりも大きくすることによって、サブカバー５５７をカバー取付部５１１〜５１３にスムーズに取り付けることができる。
【００８４】
本実施の形態の変形例２に従う基板収納構造によれば、サブカバー５５７による傾斜を、カバー取付部５１１〜５１３によって安定的に保持することができる。このため、サブカバー５５７上からの水滴の排出経路を安定的に形成することができる。
【００８５】
なお、図１４に示した第１の変形例と、図１５〜図１７に示された第２の変形例を組み合わせることも可能である。また、本実施の形態に従う基板収納構造は、給湯装置１０の筐体内での構成を特に限定することなく、電装基板の収納に適用することができる点について、確認的に記載する。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８７】
１０  給湯装置、２０  燃料閉止弁、３０  バーナ、３５  バーナケース、４０  ファン、５０  燃焼室、５５  炎検知装置、６０  熱交換器、７０  点火装置、８５  排気通路、９０  排気管、１００  筐体、１０２  開口部（筐体）、２００  フロントカバー、２０５  係合部、２２０  給気口、２３０  排気口、５００  収納スペース（電装基板）、５１０  基板収納ケース、５１１，５１２，５１３  カバー取付部、５２１，５２２  残肉部、５２３  水平孔、５５０  防滴カバー、５５１，５５２，５７１，５７２，５８１，５８２，５９１，５９２  切欠き部、５５３，５７３，５８３，５９３  突出部、５５４  取付部位、５５６  メインカバー、５５７  サブカバー、５５８  折り曲げ部（防滴カバー）、５６１，５６２，５６３，５６４，５６５ａ，５６５ｂ，５６６  開口部（基板収納ケース）、６００  電装基板、６１０  制御基板、６２０  電源基板、８００  放熱経路、８１０  排出経路（水滴）。
【図１】
0006451479.tif 000002
【図２】
0006451479.tif 000003
【図３】
0006451479.tif 000004
【図４】
0006451479.tif 000005
【図５】
0006451479.tif 000006
【図６】
0006451479.tif 000007
【図７】
0006451479.tif 000008
【図８】
0006451479.tif 000009
【図９】
0006451479.tif 000010
【図１０】
0006451479.tif 000011
【図１１】
0006451479.tif 000012
【図１２】
0006451479.tif 000013
【図１３】
0006451479.tif 000014
【図１４】
0006451479.tif 000015
【図１５】
0006451479.tif 000016
【図１６】
0006451479.tif 000017
【図１７】
0006451479.tif 000018